(57)【要約】      （修正有）【課題】画鋲等が使用できない場所や穴をあけたくない掲示物を掲示することが可能となる掲示用具を提供する。【解決手段】掲示用具１は、磁石１０と両面粘着物体２０と磁石に吸引される金属性物体３０と掲示物４０とからなり、掲示物４０を壁面等５０に掲示する時、先ず壁面等５０に両面粘着物体２０の片面を貼り、次に磁石に吸引される金属性物体３０を両面粘着物体２０の反対面に貼り、次に磁石に吸引される金属性物体３０の上に掲示物４０を貼り、そして掲示物４０の上から磁石１０で掲示物４０を止めることにより掲示物４０を壁面等５０に掲示できるようにした。【選択図】図１
0003113831.tif 000002
【実用新案登録請求の範囲】
【請求項１】
磁石と両面粘着物体と磁石に吸引される金属性物体と掲示物とからなり、掲示物を壁面等に掲示する時、先ず壁面等に両面粘着物体の片面を貼り、次に磁石に吸引される金属性物体を両面粘着物体の反対面に貼り、次に磁石に吸引される金属性物体の上に掲示物を貼り、そして掲示物の上から磁石で掲示物を貼ることにより掲示物を壁面等に容易に掲示及び剥がしができるようにしたことを特徴とする掲示用具。
【請求項２】
磁石と片面粘着物体と掲示物とからなり、片面粘着物体は粘着面と反対面に磁石に吸引される金属性物体を備えたことを特徴とした請求項１の掲示用具。
【請求項３】
請求項１乃至２において、磁石と粘着物体と磁石に吸引される金属性物体は、平面あるいは曲面の形状があることを特徴とする掲示用具。
【考案の詳細な説明】
【技術分野】
【０００１】
本考案は掲示用具に関し、特に、掲示物を壁面等に掲示する時に、掲示物を傷つけることなく又壁面の材質または形状を問わず、容易に掲示及び剥がしができるようにした掲示用具に関する。
【背景技術】
【０００２】
従来、掲示物を一時的に掲示し、見た後は剥がしたい場合には、掲示物を画鋲やテープまたは両面テープで掲示物を貼る方法があった。
また、磁石たとえば考案の開示参照により掲示物を貼る方法がある。
【特許文献１】特開平０７−０２２２３４号公報
【考案の開示】
【考案が解決しようとする課題】
【０００３】
しかし、これらの方法では、
先ず、掲示物を画鋲で貼る方法では、掲示物は画鋲により穴があき、壁面が例えば鴨居，襖，障子，床柱のように穴をあけられたら困るような場所での一時的な掲示ができなかった。また、壁面がガラスのような場合には掲示は不可能であった。さらに、画鋲を誤って床上に落としてしまうと踏んで怪我をする危険性がある。
次に、テープや両面テープで貼る方法では、テープを剥がした時、テープと掲示物との接着面で上手く剥がれず掲示物に傷を付けたりすることがあった。
両面テープの場合は、何度も貼ったり剥がしたりしているうちに掲示物によっては掲示物が紙の場合には紙の繊維が付着し、粘着力が弱まり貼ってもすぐに落ちてしまうようになる。
また、考案の開示参照による磁石により掲示物を貼る方法では、壁面には磁石に吸引されるための金属性物体がある場所でしか掲示できない欠点があった。
そこで、本考案は掲示物に穴をあけず、また傷付けたりすることなく、さらに、掲示物を貼る壁面を選ぶことなく、容易に掲示及び剥がしができる掲示用具を提供するものである。
【課題を解決するための手段】
【０００４】
本考案の掲示用具は、磁石と両面粘着物体と磁石に吸引される金属性物体と掲示物とか
らなり、掲示物を壁面等に掲示する時、先ず壁面等に両面粘着物体の片面を貼り、次に磁石に吸引される金属性物体を両面粘着物体の反対面に貼り、次に磁石に吸引される金属性物体の上に掲示物を貼り、そして掲示物の上から磁石で掲示物を貼ることにより掲示物を壁面等に掲示できるようにした掲示用具である。また、容易に掲示及び剥がしが何度でも繰り返して使用できる掲示用具を提供するものである。
【考案の効果】
【０００５】
本考案の掲示用具１を使用することにより、掲示物を一時的に掲示し、見た後には剥がしたい時、画鋲あるいはテープが使用できない場所や掲示物に穴をあけたくない場合に掲示物を容易に掲示及び剥がしができることが可能となる。
また、磁石１０は掲示物の重さで剥がれないような程度の吸引力があると、例えば
聯落（大きさ：縦２０３cm×横５３cm）の大きさの紙を掲示する場合には、椅子の上に上がって貼付け、剥がす時には作品を両手で持って軽く下方向に振動させながらとると、磁石１０はそのままに金属性物体３０に吸引されており、次の作品を掲示するときに、効率よく掲示が出来ることが確認できている。
【考案を実施するための最良の形態】
【０００６】
本考案の掲示用具１を使用した形態を図面を参照して詳述する。
図１は本考案に係る掲示用具１を使用し掲示物を壁面に掲示した説明図である。
掲示物４０を壁面５０に掲示したいときは、壁面５０の掲示したい位置に先ず両面粘着物体２０の片面を貼り、次に磁石に吸引される金属性物体３０を両面粘着物体２０の反対面に貼り、次に磁石に吸引される金属性物体３０の上に掲示物４０を貼り、そして掲示物４０の上から磁石１０で掲示物４０を貼るようにしたものである。
【０００７】
図２は、本考案に係る掲示物を壁面に掲示した側面図である。
壁面５０の掲示したい位置に両面粘着物体２０の片面を貼り、次に磁石１０に吸引される金属性物体３０を両面粘着物体２０の反対面に貼り、次に磁石１０に吸引される金属性物体３０の上に掲示物４０を貼り、そして掲示物４０の上から磁石１０で掲示物４０を貼るようにしたものである。
【０００８】
図３は、本考案に係る掲示物４０を壁面に掲示するときに使用する粘着物体の図である。
図３ａは、粘着物体２０の両面２５が粘着性物質からなるものであり、図３ｂは、粘着物体２１の片面２５が粘着性物質からり、他面が磁石１０に吸引されるための金属性物体２６からなるものである。
【０００９】
図４は、本考案に係る掲示物４０を壁面５０に掲示するときに使用する壁面５０が平面状ではなく曲面状になった、例えば鉄棒あるいは鉄パイプ状の物干しのような場所へ掲示する場合の実施例の図である。
【００１０】
図５は、本考案に係る掲示物４０を壁面５０に掲示するときに使用する両面粘着物体２０が平面状もしくは曲面状になった場合の実施例の図である。
壁面５０が平面の場合には、図５aのように粘着物体２０，金属性物体３０，磁石１０の吸着面は平面がよく、壁面６０のように曲面状に粘着物体を貼る場合には図５ｂのように粘着物体２２，金属性物体３５のように形状が曲面になっており、磁石の吸着面は平面になっていると磁石１０がよく吸着することが出来る。
また、図５ｃのように粘着物体２７のように壁面側が曲面とした場合に反対面が平面になるような構造であってもかまわない。この場合には、金属性物体３０，磁石１０がもっとも確実に吸着させることが出来る。
また、金属性物体３０は、方形でなくても金属性物体３６のようにドーナツ状でも図示はしないが円盤状でもかまわない。
金属性物体３０の場合には、磁石１０のように方形をし、金属性物体３６の場合には、磁石は磁石１６のような円状が望ましい。
【００１１】
図６は、本考案に係る掲示用具１を使用し、書道作品４５を鴨居７０に掲示した場合の実施例の図である。
【００１２】
このように、本考案に係る掲示用具１を用いることにより、掲示物に穴をあけたり、傷付けたりすることなく、また、掲示物を貼る壁面を選ぶことなく容易に掲示及び剥がしができるようになる。
【実施例１】
【００１３】
本考案の掲示用具１を用いた実施例を図１を用いて説明する。
教育場所、例えば学校の講堂で行事を開催する場合、式次第や開催案内等を講堂の壁面のどこにでも容易に掲示することが可能である。
また、従来掲示物が貼れなかったガラス面での掲示も可能となる
【実施例２】
【００１４】
壁面が平面で無い場合、図４を用いて説明する。
例えば物干しのように曲面である場合でも本考案の掲示用具１を用いることにより、作品を掲示することが可能となる。
このような場合には、両面粘着物体の形状は平面でなく曲面状のものでさらに磁石も吸着面が曲面状あれば、より強く吸着が可能となる。
【実施例３】
【００１５】
本考案の掲示用具１を用いた実施例を図６を用いて説明する。
例えば書道作品で半切（大きさ：縦１３５cm×横３５cm）あるいは聯落（大きさ：縦２０３cm×横５３cm）の大きさの紙に練習及び作品を仕上げる場合、その作品を見るためには、どこかに貼って少し離れた位置から作品を見直すことにより、不具合点を見付け出し更に作品を仕上げていく手順をとっている。そのためには、貼っている作品を剥がして、次の作品を貼ることになる。
従来は、この作品を掲示する場合に、画鋲やマグネットで壁面や鴨居に貼っていた。
自分の家では、それなりの掲示場所を予め設定しておくのがこの道の常識である。
例えば金属の平板を壁面に予め設置しておき磁石で作品を貼っている。
しかしながら、場所を変え、例えば合宿等で大勢の仲間と一緒に練習し、作品を仕上げる場合などにおいては、作品を掲示するために画鋲で鴨居に貼ることは宿舎の持ち主に禁止されていることが多く、自分の作品を見るためには他人に持ってもらう方法しかが無かった。
そこで、本考案の掲示用具１を用いることにより、場所を選ばず容易に掲示及び剥がしができることが可能となり、又、掲示後は粘着物を剥がすことにより壁面等に傷を付けることが無くなる。
更に、作品に画鋲に夜穴をあけたりテープの接着によりテープを剥がす時に傷を付けたりすることなく掲示や剥がしが繰り返して容易にできるようになる。
【実施例４】
【００１６】
本考案の掲示用具１を用いた実施例を図７を用いて説明する。
図７は横書き書道作品４７を襖８０に貼った場合の実施例である。
襖８０の面に１枚の作品に掲示用具１を３個使用して貼ったものである。
従来は、このように掲示した場合、画鋲で貼ると、襖は画鋲により穴があき、作品を剥がした後の襖は画鋲の針による穴だらけで見苦しいものになっていた。
そこで、本考案の掲示用具１を用いることにより、襖の紙面にも容易に掲示及び剥がしができることができ、又、掲示後は粘着物を剥がすことにより襖に傷を付けることが無くなる。
【００１７】
本考案に使用する両面粘着物体は、例えば「貼ってはがせる粘着ピン」の商品名で販売されているが、このように、何度も貼ってはがせる両面粘着物体がよく、反対面には磁石に吸引される金属性物体例えば金属でドーナツ状に中心部が中空になっているものがよく磁石に吸引されるため、作品が落下しにくくなる。
【００１８】
本考案に使用する両面粘着物体の磁石側は、磁石に吸引される金属性物体を備えた例えば、図示していないが金属粉あるいは金属シートでも良い。
【００１９】
本考案に使用する両面粘着物体２０と金属性物体３０と磁石１０の大きさの関係は、両面粘着物体２０より金属性物体３０が小さいと、剥がす時に両面粘着物体２０の一端面を持ち剥がすと剥がしやすく、円柱状の磁石１０の場合は磁石１０より金属性物体３０の直径が小さい方が吸引しやすく、また使い勝手がよいことが実験結果から判明した。
【産業上の利用可能性】
【００２０】
以上のように、本考案の掲示用具１を使用することにより、掲示物に穴をあけず、また傷付けたりすることなく、さらに、掲示物を貼る壁面を選ぶことなく、容易に掲示及び剥がしができる。
【図面の簡単な説明】
【００２１】
【図１】本考案の掲示物掲示説明図。
【図２】本考案の掲示用具１のＡ-Ａ断面図。
【図３】粘着物体の断面説明図。
【図４】本考案の掲示物掲示例説明図。
【図５】粘着物体の面の形状説明図。
【図６】本考案の掲示用具１を用いて書道作品を鴨居等に掲示した説明図。
【図７】本考案の掲示用具１を用いて横書き書道作品を襖に掲示した説明図。
【符号の説明】
【００２２】
1  掲示用具
１０  磁石
１６  磁石
２０  両面粘着物体
２１  片面粘着物体
２５  粘着物
２６  粘着物体の片面の金属性物体
３０  金属性物体
３５  金属性物体
３６  金属性物体
４０  掲示物
４５  書作品
４７  書作品
５０  壁面
６０  平面でない壁面
７０  鴨居
８０  襖
【図１】
0003113831.tif 000003
【図２】
0003113831.tif 000004
【図３】
0003113831.tif 000005
【図４】
0003113831.tif 000006
【図５】
0003113831.tif 000007
【図６】
0003113831.tif 000008
【図７】
0003113831.tif 000009